(57)【要約】【課題】  収納・展開時の取扱いが容易であり、また、展開状態でも通行の邪魔になりにくい構造のゴミステーションを提供する。【解決手段】  ゴミステーション１は、上面を覆う天面部２と、正面および左右両側面を包囲する横引きシャッター３と、を備え、天面部２には開閉可能な蓋部２４が設けられる。横引きシャッター３は、天面部２の周部に沿って配されたガイドレール４に吊持されて、正面側から左右に引き分けられ背面側まで引き込まれるように取り付けられるとともに、横引きシャッター３が背面側に引き込まれた状態で、天面部２およびガイドレール４の前側部分が下向きに折り畳まれて収納される。【選択図】  図１
2020001834.tif 000002
【特許請求の範囲】
【請求項１】
上面を覆う天面部と、正面および左右両側面を包囲する横引きシャッターと、を備え、
前記天面部に開閉可能な蓋部が設けられ、
前記横引きシャッターが、前記天面部の周部に沿って配されたガイドレールに吊持され、正面側から左右に引き分けられて背面側まで引き込まれるように取り付けられるとともに、
前記横引きシャッターが背面側に引き込まれた状態で、前記天面部および前記ガイドレールの前側部分が下向きに折り畳まれて収納される
ことを特徴とするゴミステーション。
【請求項２】
請求項１に記載されたゴミステーションにおいて、
前記天面部が、後側に配される天面基部と、前側に配される天面可倒部とに分割され、
前記ガイドレールが、後側に配されて前記天面基部に結合されるレール基部と、前側に配されるレール可倒部とに分割され、
前記天面基部または前記レール基部の少なくともいずれか一方が、適宜の背面支持体を介して壁面または床面上の所定の高さに水平に設置され、
前記天面基部と前記天面可倒部、または前記レール基部と前記レール可倒部、の少なくともいずれか一対が折畳可能にヒンジ連結され、
前記天面部または前記ガイドレールを展開状態に固定するロック手段が設けられた
ことを特徴とするゴミステーション。
【請求項３】
請求項２に記載されたゴミステーションにおいて、
前記ガイドレールは、リップ部を有する溝形断面のレール部材からなり、該レール部材の開口溝を下向きにして、前記レール基部の開口溝と前記レール可倒部の開口溝とが展開状態で連通するように前記天面部の下側に配されるとともに、
前記レール基部が、前記横引きシャッターを前記天面基部の下方まで引き込めるように配された
ことを特徴とするゴミステーション。
【請求項４】
請求項２または３に記載されたゴミステーションにおいて、
前記レール基部の前端部と前記レール可倒部の後端部とが、それらの側面に取り付けられたヒンジ部材を介して連結されるとともに、
前記ロック手段が、前記ヒンジ部材を構成する一対のヒンジ半体のうち前記レール基部側のヒンジ半体に取り付けられた基部側ユニットと、前記レール可倒部側のヒンジ半体に取り付けられた可倒部側ユニットとを組み合わせて構成され、
前記可倒部側ユニットには前記基部側ユニットに向けて付勢突出する係合部材が組み付けられる一方、前記基部側ユニットには前記係合部材が係合し得る被係合部が形成されて、
前記レール可倒部を水平に展開すると、前記係合部材が前記被係合部に係合して前記レール可倒部が展開状態に拘束される
ことを特徴とするゴミステーション。
【発明の詳細な説明】
【技術分野】
【０００１】
本発明は、ゴミ等の集積や保管に利用されるゴミステーションに関する。
【背景技術】
【０００２】
家庭や事業所から出されるゴミ袋や廃棄物等を、回収までの間、所定の集積場所に一時的に保管しておくために、折り畳み式のゴミステーション（ゴミ集積ボックス、ゴミ収集箱、ゴミ収容庫、等とも称される。）がよく利用されている。その種のゴミステーションとしては、例えば特許文献１〜３に開示されているようなものが公知である。それらのゴミステーションは、少なくとも正面、左右の両側面、および天面を構成する複数枚のパネルを相互に連結して箱状に組み立てられる。設置場所の事情によっては、背面や底面を構成するパネルが追加される場合もある。通常は、天面パネルの前部に上向きに開閉する蓋体を設けるか、または正面パネルを左右に開閉できるようにして、ゴミ袋等を出し入れする。必要があれば、それらの開閉箇所を施錠可能とすることもできる。ゴミ回収後は、邪魔にならないように折り畳まれる。折り畳み構造としては、左右の側面パネルが中折方式で内側に折り込まれ、その側面パネルに連結された正面パネルが背面側に後退し、その前方に天面パネルが倒されて重なることで、奥行きが小さくなる、という構造を採用したものが一般的である。
【先行技術文献】
【特許文献】
【０００３】
【特許文献１】特開平１０−０５３３０１号公報
【特許文献２】特開平１１−１１６００１号公報
【特許文献３】特開２００３−８１２６４号公報
【発明の概要】
【発明が解決しようとする課題】
【０００４】
前記従来のような、左右の側面パネルを中折方式で内側に折り畳む構造のゴミステーションは、互いに連結された複数枚のパネルを折り込んだり展開したりする際に、パネルに手を触れて動かさなければならない箇所が多く、作業が面倒で、手指が汚れやすい。作業に不慣れな人は、パネルの連結箇所に手指を挟んでしまうおそれもある。パネルに汚れが付着することで、連結箇所の回動性が悪くなり、折り畳みや展開の作業が次第に困難になるおそれもある。
【０００５】
また、複数枚のパネルを相互に連結して組み立てられるため、展開状態では角張った箱状になってしまう。したがって、道路や通路に設置されると、角張った隅部が通行の邪魔になりやすく、その隅部に通行者がぶつかると怪我をすることにもなりかねない。
【０００６】
本発明は前述のような事情に鑑みてなされたものであって、左右の側面パネルを中折方式で内側に折り畳む構造に比べて収納・展開時の取扱いが容易であり、また、展開状態でも通行の邪魔になりにくい構造のゴミステーションを提供することを目的としている。
【課題を解決するための手段】
【０００７】
本発明のゴミステーションは、上面を覆う天面部と、正面および左右両側面を包囲する横引きシャッターと、を備え、前記天面部に開閉可能な蓋部が設けられ、前記横引きシャッターが、前記天面部の周部に沿って配されたガイドレールに吊持され、正面側から左右に引き分けられて背面側まで引き込まれるように取り付けられるとともに、前記横引きシャッターが背面側に引き込まれた状態で、前記天面部および前記ガイドレールの前側部分が下向きに折り畳まれて収納されるものである。
【０００８】
より具体的には、前記天面部が、後側に配される天面基部と、前側に配される天面可倒部とに分割され、前記ガイドレールが、後側に配されて前記天面基部に結合されるレール基部と、前側に配されるレール可倒部とに分割され、前記天面基部または前記レール基部の少なくともいずれか一方が、適宜の背面支持体を介して壁面または床面上の所定の高さに水平に設置され、前記天面基部と前記天面可倒部、または前記レール基部と前記レール可倒部、の少なくともいずれか一対が折畳可能にヒンジ連結され、前記天面部または前記ガイドレールを展開状態に固定するロック手段が設けられた、との構成を採用する。
【０００９】
さらに、前記ガイドレールは、リップ部を有する溝形断面のレール部材からなり、該レール部材の開口溝を下向きにして、前記レール基部の開口溝と前記レール可倒部の開口溝とが展開状態で連通するように前記天面部の下側に配されるとともに、前記レール基部が、前記横引きシャッターを前記天面基部の下方まで引き込めるように配された、との構成を採用する。
【００１０】
さらに、前記レール基部の前端部と前記レール可倒部の後端部とが、それらの側面に取り付けられたヒンジ部材を介して連結されるとともに、前記ロック手段が、前記ヒンジ部材を構成する一対のヒンジ半体のうち前記レール基部側のヒンジ半体に取り付けられた基部側ユニットと、前記レール可倒部側のヒンジ半体に取り付けられた可倒部側ユニットとを組み合わせて構成され、前記可倒部側ユニットには前記基部側ユニットに向けて付勢突出する係合部材が組み付けられる一方、前記基部側ユニットには前記係合部材が係合し得る被係合部が形成されて、前記レール可倒部を水平に展開すると、前記係合部材が前記被係合部に係合して前記レール可倒部が展開状態に拘束される、との構成を採用する。
【発明の効果】
【００１１】
本発明のゴミステーションは、正面および左右両側面が横引きシャッターによって包囲され、その横引きシャッターを背面側に引き込んだ状態で天面部およびガイドレールの前側部分が折り畳まれるように構成されているので、左右の側面パネルを中折方式で内側に折り畳む従来のゴミステーションに比べて、はるかに簡単に、かつ安全に、展開／収納することができる。
【００１２】
さらに、横引きシャッターは、正面から左右両側面へと連続する隅部を曲面状に囲むことができるので、道路や通路に設置した場合でも通行を妨げにくくなり、万一ぶつかった場合の危険性も低減することができる。
【図面の簡単な説明】
【００１３】
【図１】本発明の一実施形態に係るゴミステーションの使用状態（展開状態）を示す斜視図である。
【図２】前記ゴミステーションの展開／収納途中の状態を示す斜視図である。
【図３】前記ゴミステーションの収納状態を示す斜視図である。
【図４】前記ゴミステーションの正面図である。
【図５】前記ゴミステーションの右側面図である。
【図６】前記ゴミステーションの上面図である。
【図７】前記ゴミステーションのＡ−Ａ断面図である。
【図８】前記ゴミステーションのＢ−Ｂ断面図である。
【図９】前記ゴミステーションの展開／収納途中の状態におけるＡ−Ａ断面図である。
【図１０】前記ゴミステーションの収納状態における右側面図である。
【図１１】前記ゴミステーションの収納状態におけるＢ−Ｂ断面図である。
【図１２】ゴミステーションの骨格構造に係る他の形態を説明する概念図である。
【発明を実施するための形態】
【００１４】
以下、本願が開示するゴミステーションの実施の形態について説明する。
【００１５】
図１〜図１１は、ゴミステーションの一実施形態を示している。ゴミステーション１は、図１〜図３に示すように、上面を覆う天面部２と、正面および左右両側面を包囲する横引きシャッター３と、を備えた略箱型の形状をなしており、天面部２にはゴミ等の投入口２０が設けられて、その投入口２０に開閉可能な蓋部２４が設けられている。横引きシャッター３は、天面部２の周部に沿って配されたガイドレール（ハンガーレール）４に吊持されて、正面側から左右に引き分けられ、さらに背面側まで引き込まれるように取り付けられる。そして、横引きシャッター３が背面側に引き込まれた状態で、天面部２およびガイドレール４の前側部分が下向きに折り畳まれて収納される。
【００１６】
かかる構成の細部について、図４〜図１１も参照しつつ詳細に説明する。
【００１７】
天面部２は、後側に配される天面基部２１と、前側に配される天面可倒部２２との二つに分割されている。天面基部２１は、左右方向に細長いパネル状の部位である。例示形態では、天面基部２１が、適宜の背面支持体５を介して所定の高さに水平に設置される。
【００１８】
例示形態の背面支持体５は、全面に開口のないパネル状の構造体である。背面支持体５は、背後の壁面に沿って、または壁面がない場合は床面上に起立するように、適宜の固定具（図示せず）を介して固定される。このような背面支持体５の上部に、天面基部２１の後縁部が結合されている。なお、設置スペースの背後に壁面があり、その壁面に防汚・防水対策が施されているなどによって背面側を塞がなくてもよい場合は、背面支持体５を、例えば左右の支柱と適宜の横架材のみからなるフレーム状の構造体とすることもできる。
【００１９】
天面可倒部２２は、その左右幅が天面基部２１の左右幅と略同一で、その奥行きが天面基部２１の奥行きよりも大きくなるように形成されている。天面可倒部２２は、周枠部２３と、その上に重ねられた蓋部２４とを具備する。周枠部２３は、左右の前隅部が円弧状に湾曲し、左右の後隅部が直角に屈曲して、天面可倒部２２の全周を囲んでいる。
【００２０】
周枠部２３によって囲まれた開口の内側がゴミ等の投入口２０となり、この投入口２０が蓋部２４によって覆われる。蓋部２４は、薄くて平らな板体等によって形成され、その後縁部が周枠部２３の後方部分の上面に、ヒンジ部材Ａ２５を介して回動可能に連結されている。蓋部２４の前縁近傍には把手２６が取り付けられ、その把手２６を持ち上げると蓋部２４を上向きに開放することができる。蓋部２４を安全かつ軽快に開閉することができるように、周枠部２３と蓋部２４との間にはガススプリング式のソフトダウンステー（ダンパーステー）２７が取り付けられている。
【００２１】
例示形態では、天面可倒部２２の後方部分が、天面基部２１の前縁部にヒンジ部材Ｂ２８（図８、図９）を介して連結されている。これにより、天面可倒部２２は、天面基部２１の前方へ水平に迫り出す位置（展開位置）から、下向きに倒れた位置（収納位置）までの範囲で約９０度、回動し得るように保持される。天面可倒部２２の展開位置においては、天面可倒部２２の下面と天面基部２１の下面とが、床面からの高さを揃えて略水平に連続する。
【００２２】
天面部２と同様にガイドレール４も、後側に配されるレール基部４１と、前側に配されるレール可倒部４２との二つに分割されている。レール基部４１およびレール可倒部４２はともに、リップ部を有する溝形断面のレール部材からなり、該レール部材の開口溝を下向きにして天面部２の下側に配される。
【００２３】
レール基部４１は、図８に示すように、左右２本のレール部材によって構成され、それらのレール部材は、天面基部２１の左右両前隅部から、それぞれ天面基部２１の左側縁部および右側縁部に沿って後方に延び、天面基部２１の左右両後隅部に沿って円弧状に湾曲しながら内側へと向きを変え、互いに前後にずれた位置で、天面基部２１の後縁部に沿って反対側の側縁部近傍まで延びている。レール基部４１は、ビス等の固定具（図示せず）を用いて、天面基部２１の下面に結合されている。
【００２４】
レール可倒部４２は、１本のレール部材によって構成される。そのレール部材は、天面可倒部２２の周枠部２３の前方部分に沿って左右方向に延び、周枠部２３の左右の前隅部に沿って円弧状に湾曲しながら後方へと向きを変え、周枠部２３の左右両側部分に沿ってレール基部４１の前端部近傍まで延びている。図９に示すように、レール可倒部４２を構成するレール部材は、天面可倒部２２の下面に固着されてはおらず、その後端部がレール基部４１の前端部にヒンジ部材Ｃ４３を介して連結されている。ヒンジ部材Ｃ４３は、レール部材の開口溝に干渉しないように、各レール部材の側面に取り付けられている。これにより、レール可倒部４２は、レール基部４１の前方へ水平に迫り出す位置（展開位置）から、下向きに倒れた位置（収納位置）までの範囲で約９０度、回動し得るように保持される。レール可倒部４２の展開位置においては、レール可倒部４２の開口溝とレール基部４１の開口溝とが床面からの高さを揃えて略水平に連通する。
【００２５】
このようにして、天面基部２１に天面可倒部２２が連結されるとともに、レール基部４１にレール可倒部４２が連結され、天面可倒部２２およびレール可倒部４２が、それぞれヒンジ部材Ｂ２８およびヒンジ部材Ｃ４３を介して互いに独立して回動し得るように保持される。そして、それらを展開状態に固定するのが、例示形態にあっては、ヒンジ部材Ｃ４３に併設されたロック機構である。
【００２６】
ロック機構は、図１０に示すように、ヒンジ部材Ｃ４３を構成する一対のヒンジ半体４３１、４３２のうち、レール基部４１側のヒンジ半体４３１に取り付けられた基部側ユニット４４と、レール可倒部４２側のヒンジ半体４３２に取り付けられた可倒部側ユニット４５とによって構成されている。可倒部側ユニット４５には、基部側ユニット４４に向けて突出する係合部材４６が組み付けられている。その係合部材４６には、図示しないバネ等によって、係合部材４６の先端を突出させる向きの付勢力が付与されている。一方、基部側ユニット４４には、係合部材４６が係合し得る被係合部としての溝孔４７が形成されている。そして、レール可倒部４２を水平に展開すると、係合部材４６が溝孔４７に係合し、可倒部側ユニット４５が基部側ユニット４４に連結された状態で拘束される。このとき、天面可倒部２２も、レール可倒部４２の上に載る状態で水平に保持される。
【００２７】
係合部材４６の一端には、係合部材４６を付勢力に抗して基部側ユニット４４の係合溝から離脱する向きに動かすワイヤー４８が取り付けられている。そのワイヤー４８は、レール可倒部４２の内側面に沿って正面側へと引き出され、レール可倒部４２の正面中央に設けられた解除操作部４９に接続されている。この解除操作部４９を回動させるなどしてワイヤー４８を正面側に引き寄せると、係合部材４６が揺動して基部側ユニット４４に対する係合状態が解け、レール可倒部４２と、その上に載っている天面可倒部２２とが折り畳み可能になる。
【００２８】
ガイドレール４には、左右一対のシャッターカーテン３１、３１を有する横引きシャッター３が取り付けられる。例示のシャッターカーテン３１は、細幅の縦スラットを横方向に多数枚、連設して形成されており、左右の連設幅は略同寸である。シャッターカーテン３１は、ガイドレール４に沿って走行する複数戸の吊車３５（図７、図９）に取り付けられ、上吊り方式で横方向に開閉される。左右のシャッターカーテン３１、３１は、正面中央の召し合わせ位置から左右に引き分けられ、全開状態では図１１に示すように、それぞれが完全にレール基部４１まで引き込まれる。各シャッターカーテン３１の召し合わせ框３２には、開閉を容易にするための引手３３がそれぞれ取り付けられている。また、召し合わせ框３２、３２同士は、例えば磁石式の閉合手段（図示せず）等によって、閉じ合わせた状態を保持する。各シャッターカーテン３１の下端には、キャスター３４が数個ずつ、適宜の間隔で取り付けられている。各キャスター３４は高さ調整機能を備えており、その高さを調整することで、シャッターカーテン３１の重量が床面に適切に支持され、開閉操作が円滑になる。
【００２９】
このように構成されたゴミステーション１の展開／収納手順は以下の通りである。図３、図１０、図１１に示した収納状態にあるゴミステーション１を展開して使用する場合、まず、図９に示すように、天面可倒部２２を持ち上げて支えながら、レール可倒部４２も水平になるまで持ち上げる。すると、レール可倒部４２とレール基部４１とを連結するヒンジ部材Ｃ４３に併設されたロック機構が働いて、レール可倒部４２と、その上に載る天面可倒部２２とが、水平に固定される。次いで、左右のシャッターカーテン３１、３１を天面基部２１の下方から前方に引き出して、それらの召し合わせ框３２同士を正面中央で閉じ合わせる。これでゴミステーション１が図１、図７、図８等に示した展開状態になって、使用可能となる。
【００３０】
展開状態にあるゴミステーション１を収納する場合は、前記とは逆の手順で、まず、正面で閉じ合わせられているシャッターカーテン３１、３１を左右に引き分けて、左右両側からそれぞれ後方へ送り、天面基部２１の下方まで引き込む。次いで、レール可倒部４２の正面中央に設けられた解除操作部４９を操作してヒンジ部材Ｃ４３に併設されたロック機構を解除し、レール可倒部４２と、その上に載っている天面可倒部２２とを下方に折り畳む。これで収納が完了する。
【００３１】
このように、本願が開示するゴミステーション１は、展開／収納の操作がきわめて簡単である。天面可倒部２２およびレール可倒部４２を上げ下げする操作、および横引きシャッター３を前後後方に出し入れする操作は、どちらも単純でわかりやすく、従来の中折方式のゴミステーション１のように、パネルの連結箇所に手指を挟んでしまいそうになる心配もない。
【００３２】
また、本願が開示するゴミステーション１は横引きシャッター３を採用しているので、正面から左右両側面に連続する隅部を曲面状に囲むことができる。したがって、道路や通路に設置した場合でも、隅部が角張らないので、通行を妨げににくくなり、ぶつかった場合の危険性も低減することができる。
【００３３】
天面部２およびガイドレール４を折り畳み可能にする骨格構造については、前述の形態に換えて、図１２に示すような構造を採用することも可能である。
【００３４】
図１２（ａ）に示す構造は、天面基部２１とレール基部４１とが一体的に結合されるとともに、天面可倒部２２とレール可倒部４２も一体的に結合されている。そして、レール基部４１とレール可倒部４２とがヒンジ部材Ｄ６１を介して回動可能に連結されている。天面基部２１と天面可倒部２２とは互いに連結されていないが、レール可倒部４２を水平に展開し固定することで、天面可倒部２２も水平に保持される。また、背面支持体５は、レール基部４１の後縁部に結合されている。
【００３５】
図１２（ｂ）に示す構造も、天面基部２１とレール基部４１とが一体的に結合され、天面可倒部２２とレール可倒部４２とが一体的に結合されている。ただし、前記形態とは逆に、天面基部２１と天面可倒部２２とがヒンジ部材Ｅ６２を介して回動可能に連結されている。レール基部４１とレール可倒部４２とは互いに連結されていないが、天面可倒部２２を水平に展開し固定することで、レール可倒部４２も水平に保持される。また、背面支持体５は、天面基部２１の後縁部に結合されている。
【００３６】
このように、互いに連結される部材・部位の位置関係等に応じてヒンジ部材の形態も変化するが、天面基部２１と天面可倒部２２、またはレール基部４１とレール可倒部４２、の少なくともいずれか一対を、適切なヒンジ部材を選択して折畳可能に連結することにより、天面部２およびガイドレール４の前側部分を好適に展開／収納することができる。天面部２およびガイドレール４を展開状態に固定するためのロック手段も、そのヒンジ連結箇所、またはその近傍に設けるのが好ましい。
【００３７】
なお、本発明の技術的範囲は、例示した実施の形態によって限定的に解釈されるべきものではなく、特許請求の範囲の記載に基づいて概念的に解釈されるべきものである。本願が開示する発明の実施に際しては、特許請求の範囲において具体的に特定していない部材・部品の形状や構造、位置関係、接合形態等を、例示形態と実質的に同様の作用効果が得られる範囲内で適宜、改変して実施することができる。
【００３８】
例えば、ゴミステーションの全体的な平面形態に関しては、例示のような角丸の矩形ではなく、正面から両側面までが略半円形状に連続するような形態にすることも可能である。背面支持体を、可動式あるいは組立式にしてもよい。また、下部に底面パネルを設けて、ゴミ等を床面に直置きさせないようにすることもできる。
【００３９】
蓋部および天面基部は、通気可能な開口を有する格子状、あるいは多孔状のパネル体であってもよい。蓋部の開閉方式も、例示のような片側ヒンジの跳ね上げ式に換えて、他の様々な開閉方式を採用することができる。
【００４０】
天面部およびガイドレールを展開状態に固定するロック手段についても、例示した係合部材と被係合部との組合せに限らず、それと同程度の使い勝手が得られる公知の機構を採用することができる。
【００４１】
横引きシャッターのシャッターカーテンは、例示のような縦スラットの連設体に換えて、例えばパイプ柵をアコーディオン状に連設して幅方向に拡縮可能としたものにすることもできる。また、シャッターカーテンの下端に配したキャスターの走行を案内するための下部レールを、床面に設置してもよい。また、左右のシャッターカーテンの召し合わせ部分に、簡易的な施錠手段を設けるのも好ましい。
【産業上の利用可能性】
【００４２】
本願が開示するゴミステーションは、使用時に展開し、不使用時には折り畳むことのできる簡易的な収容ボックスとして、ゴミの集積に限らず、各種物品の収納、保管等に幅広く活用することができる。
【符号の説明】
【００４３】
１  ゴミステーション
２  天面部
２０  投入口
２１  天面基部
２２  天面可倒部
２３  周枠部
２４  蓋部
２５  ヒンジ部材Ａ
２６  把手
２７  ソフトダウンステー
２８  ヒンジ部材Ｂ
３  横引きシャッター
３１  シャッターカーテン
３２  召し合わせ框
３３  引手
３４  キャスター
３５  吊車
４  ガイドレール
４１  レール基部
４２  レール可倒部
４３  ヒンジ部材Ｃ
４３１  ヒンジ半体
４３２  ヒンジ半体
４４  基部側ユニット
４５  可倒部側ユニット
４６  係合部材
４７  溝孔（被係合部）
４８  ワイヤー
４９  解除操作部
５  背面支持体
【図１】
2020001834.tif 000003
【図２】
2020001834.tif 000004
【図３】
2020001834.tif 000005
【図４】
2020001834.tif 000006
【図５】
2020001834.tif 000007
【図６】
2020001834.tif 000008
【図７】
2020001834.tif 000009
【図８】
2020001834.tif 000010
【図９】
2020001834.tif 000011
【図１０】
2020001834.tif 000012
【図１１】
2020001834.tif 000013
【図１２】
2020001834.tif 000014